(57)【要約】      （修正有）【課題】表面の印刷を再帰反射性カラーインクで行なうことにより、夕暮れ時の暗闇の中で視認し易く、注意を引き易いランドセル用のカバーを提供する。【解決手段】ランドセルカバー２０は、ランドセル本体２の上端部に接続された開口部３を開閉するための被せ蓋７に取り付けられ、その一部を構成するランドセルカバー本体３０により被せ蓋の外面Ｓ３を被覆する。ランドセルカバー本体表面には、再帰反射性カラーインクで図柄が印刷される。再帰反射性カラーインクで印刷された図柄が照らされたライトの光を反射するため、このカバーをランドセルに取り付けることで、夕暮れ時の暗闇の中であっても目立ち易くなり、ランドセルを背負った学童を視認し易くなる。色・柄を自由に作製でき、違和感なくランドセルに取り付けることができる。【選択図】図２
0003195160.tif 000002
【実用新案登録請求の範囲】
【請求項１】
開口部を有するランドセル本体の当該開口部を開閉するための被せ蓋に取り付けられ、その一部を構成するランドセルカバー本体により被せ蓋の外面の少なくとも一部を被覆するランドセルカバーであって、ランドセルカバー本体の表面に再帰反射性カラーインクで印刷をされたことを特徴とするランドセルカバー。
【考案の詳細な説明】
【技術分野】
【０００１】  本考案は、夕暮れ時の暗闇の中でランドセルを背負った学童の存在をその学童の後方から確認し易くするためのランドセルカバーに関するものである。
【背景技術】
【０００２】  従来、ランドセルカバーにあっては、特許文献１に示されているように、表面に鏡面に形成された鏡面領域部を有する防犯用シートをランドセルカバーの表面の全部または一部に装着されるもの、特許文献２に示すようにＬＥＤやＬＤなどの光源の光を細長い導光体にて光輝するようにした発光体をカバー側部の小袋に収容し、そして、このカバーをランドセルに取り付けることで発光体が冠せの側部で光輝して見えるようにしたもの、特許文献３に示されているように、光反射テープを縁取りとして設けたものや、特許文献４に示されているように高輝度の光反射性を持ったマルチプリズムシートをデザインした形状にしてカバーの外表面に設けたものがある。また、特許文献５に示すように面発光を行なって薄型、柔軟である発光体をカバーの外表面に設けるようにし、昼間時であっても発光によって注意を引き易いランドセル用のカバーも提案されている。
【先行技術文献】
【特許文献】
【０００３】
【特許文献１】特開２０１１−８３４４１号公報
【特許文献２】特開２００９−０１３５３８号公報
【特許文献３】実用新案登録第３０７７２７８号公報
【特許文献４】実用新案登録第３０８７８０６号公報
【特許文献５】実用新案登録第３１６４２３８号公報
【考案の概要】
【考案が解決しようとする課題】
【０００４】  ところで、上記のようなランドセルカバーの形状等は、ランドセルカバー表面に反射材や発光材が貼り付けられていたりするものであり、外観の柄や色という点では制限が多く、夕暮れ時の暗闇の中で視認し易く、さらに独自性を備えたランドセルを持ちたいという使用者の要望に対応可能なものとは言えない。【０００５】  本考案は、上記のような課題を解消するランドセルカバーを提供することを目的としており、具体的には、ランドセルカバー表面に再帰反射性カラーインクで印刷をすることで柄の独自性や色の自由性を付与することが可能なランドセルカバーを提供することを目的とする。
【課題を解決するための手段】
【０００６】  本考案は、かかる目的を達成するために、次のような手段を講じたものである。【０００７】  すなわち、本考案のランドセルカバーは、開口部を有するランドセル本体の当該開口部を開閉するための被せ蓋に取り付けられ、その一部を構成するランドセルカバー本体により被せ蓋の外面の少なくとも一部を被覆するランドセルカバーであって、ランドセルカバー本体表面に再帰反射性カラーインクで印刷がなされたことを特徴とする。【０００８】  このように構成すると、表面に再帰反射性カラーインクで印刷がされたランドセルカバーに取り付け、そのランドセルカバーで被せ蓋を覆うことで、ランドセルの外観を容易に変更することができ、夕暮れ時の暗闇の中で視認し易くすることができる。
【考案の効果】
【０００９】  本考案は、以上説明した構成であるから、使用者が夕暮れ時の暗闇の中あっても再帰反射性カラーインクで印刷された図柄が照らされたライトの光を反射するため、反射する表面の印刷面が目立ち易くなり、ランドセルを背負った学童を視認し易くなる。そして、面反射手段がカラーインクで印刷されたものであって、反射部分の色・柄の独自性を付与することが可能なランドセルカバー及びランドセルを提供することができる。
【図面の簡単な説明】
【００１０】
【図１】本考案に係るランドセルカバーを取り付けたランドセルの斜視図。
【図２】同ランドセルカバーを、ランドセルから取り外した状態で示す斜視図。
【図３】同ランドセルカバーの正面図。
【図４】同ランドセルカバーの背面図。
【図５】ランドセルへ同ランドセルカバーの取り付け方を説明するための斜視図
【図６】同ランドセルカバーの変形例を示す正面図。
【考案を実施するための形態】
【００１１】＜実施形態＞
以下、本考案のランドセルカバー２０を、図面を参照して説明する。
【００１２】  図１に示すように、本実施形態のランドセルカバー２０には、表面に再帰反射性カラーインクで印刷がなされており、ランドセル１の被せ蓋７に取り付けている。
【００１３】  ランドセル１は、図１，２に示すように、上方に開口した開口部３を有するランドセル本体２、ランドセル本体２の開口部３を開閉可能にする被せ蓋７、及びランドセル１を背負ったときに使用者の背中が接するランドセル本体２の背板部２ａと開口部３の反対側に位置する底面部２ｄとに接続された一対の肩ベルト１０，１０を備えるものである。
【００１４】  図２に示すように、前記ランドセルカバー２０は、被せ蓋７の全ての外面Ｓ３を被覆するシート状のもので、ランドセル１の被せ蓋７に対応する形状であって被せ蓋７の幅寸法よりも若干幅広の寸法を有し、長手方向の長さが被せ蓋７よりも若干長い矩形状のランドセルカバー本体３０と、ランドセルカバー本体３０の一端３０ａから延び、肩ベルト１０，１０の上端と係合可能な連結固定部７０とを備える。また、ランドセルカバー本体３０の一端３０ａの中央には、前記掛け金具８に引っ掛けることが可能な補助ゴム４０が固定されている。
【００１５】  図３，４に示すように、ランドセルカバー本体３０は、ランドセルカバー２０を取り付けた際に被せ蓋７と当接する面である一方の面（ランドセルカバー２０の内面）Ｓ２の他端３０ｂに、被せ蓋７の自由端７ｂを挿入するための裏下ベルト５０を備える。裏下ベルト５０は、ランドセルカバー本体３０の幅寸法と略対応する幅寸法を有し、ランドセルカバー本体３０をその他端３０ｂ先端から長手方向に向かってランドセルカバー本体３０の３分の１程度の位置まで覆っている。裏下ベルト５０の一端５０ａは、その幅方向略全体に亘って開放されており、裏下ベルト５０の両端及び他端５０ｂの縁部は、ランドセルカバー本体３０に固定されている。裏下ベルト５０の中央よりも他端５０ｂ寄りの位置には、被せ蓋７の自由端７ｂに固定された連結部６（図５参照）を挿俑可能な連結部挿通孔５１が形成されており、連結部挿通孔５１は、連結部６の最も幅広な部分の寸法よりも若干広く幅方向に伸びて矩形状に開口している。連結部挿通孔５１は、裏下ベルト５０の他端５０ｂ側の先端縁と、連結部挿通孔５１の他端５０ｂ側の縁部５１ａとの間に所定の間隔を有するように形成されており、この部分に被せ蓋７の自由端７ｂが挿入される。ランドセルカバー本体３０はまた、一方の面Ｓ２の一端３０ａ側に、ランドセルカバー本体３０の幅寸法と略対応する幅寸法を有し、両端部がランドセルカバー本体３０に固定された裏上ベルト６０を有する。
【００１６】  図３に示すように、ランドセルカバー本体３０は、その表面の絵柄が再帰反射性カラーインク印刷されており、夕暮れ時の暗闇の中で視認し易くすることができるようになっている。
【００１７】  図３，４に示すように、連結固定部７０は、ランドセルカバー本体３０の一端３０ａの両端からそれぞれ延びる第１連結片７１及び第２連結片７２からなる。第１連結片７１は、ランドセルカバー本体３０の一端３０ａから延びる湾曲部７１ａと湾曲部７１ａから第２連結片７２に向かってランドセルカバー本体３０の一端３０ａと平行に延びる平行部７１ｂとからなり、平行部７１ｂには先端にスナップボタン７３ａが取り付けられたスナップ部分後付パーツ７１ｃが固定されている。第２連結片７２は、ランドセルカバー本体３０の一端３０ａから延びる湾曲部７２ａと湾曲部７２ａから第１連結片７１に向かってランドセルカバー本体３０の一端３０ａと平行に延びる平行部７２ｂとからなり、平行部７２ｂの先端にはスナップボタン７３ｂが取り付けられている。スナップボタン７３ａ，７３ｂは、連結固定部７０の幅方向の略中央で互いに係止され、係止されることで、ランドセルカバー本体３０の一端３０ａの縁部２０ａと当該縁部２０ａに連続する、第１連結片７１及び第２連結片７２の内周縁７１ｘ，７２ｘによって肩ベルト係止孔７４が形成される。
【００１８】  以上のように構成されるランドセルカバー２０をランドセル１の被せ蓋７に取り付ける。ランドセルカバー２０の被せ蓋７への具体的な取り付け方法としては、図５に示すように、被せ蓋７を連結部６の先端部材５から順に一端３０ａから他端３０ｂに向かって裏上ベルト６０の内側を通過させ、続いて裏下ベルト５０の一端５０ａから挿入した先端部材５及び連結部６を連結部挿通孔５１から外方へ通過させて、被せ蓋７の自由端７ｂ側を裏下ベルト５０内に差し込む。その後、図９に示すようにランドセルカバー２０における連結固定部７０の第１連結片７１及び第２連結片７２を外側に広げ、それらの連結片７１，７２を肩ベルト１０，１０の上端に回り込ませてからスナップボタン７３ａ，７３ｂで固定し、補助ゴム４０を前記留め金具８に引っ掛けることで、被せ蓋７にランドセルカバー２０を取り付けることができる。
【００１９】  以上のように、本実施形態のランドセルカバー２０は、開口部３を有するランドセル本体２の当該開口部３を開閉するための被せ蓋７に取り付けられ、その一部を構成するランドセルカバー本体３０により被せ蓋７の外面Ｓ１全体を被覆するものである。
【００２０】  このような構成であるので、汚れ、傷や雨水からランドセル１を保護する機能を有するとともに、ランドセルカバー２０で被せ蓋７を覆うことで、ランドセル１の外観を容易に変更することができ、印刷の柄や色を工夫することで、独自性を備えたランドセル１にすることができる。再帰反射性カラーインクを使用することにより夕暮れ時の暗闇の中で視認し易くすることができ装飾性の面に加えて安全性の面も考慮したランドセル１とすることができる。
【００２１】  このようなランドセルカバー２０は、ランドセルカバーの新たな販売促進のサービスとして展開することができるものである。
【００２２】  さらに、表面シート３０が塩化ビニル製なので、防水効果が高く且つ汚れ等を容易に拭き取ることが可能なランドセルカバー２０とすることができる。
【００２３】    なお、各部の具体的な構成は、上述した実施形態のみに限定されるものではなく、本考案の趣旨を逸脱しない範囲で種々変形が可能である。
【００２４】  例えば、表面シート３０の絵柄は図３等に示すドット柄に限定されず、例えば図６に示すランドセルカバー２０Ａ，２０Ｂのような、チェック柄、ボーダー柄等の絵柄であってもよい。また、上述おいて、ランドセルカバー２０は被せ蓋７の外面Ｓ３全体を被覆するものとしていたが、被せ蓋７の外面Ｓ３の一部のみを被覆するようなものであってもよい。
【符号の説明】
【００２５】  ２・・・ランドセル本体
３・・・開口部
７・・・被せ蓋
２０・・・ランドセルカバー
３０・・・ランドセルカバー本体
Ｓ３・・・外面
【図１】
0003195160.tif 000003
【図２】
0003195160.tif 000004
【図３】
0003195160.tif 000005
【図４】
0003195160.tif 000006
【図５】
0003195160.tif 000007
【図６】
0003195160.tif 000008